(57)【要約】【課題】簡単な構造で係止片と係止受け部との係止の外れを防止して、部品同士の外れを防ぐことができる部品の固定構造を提供する。【解決手段】部品の固定構造１は、リング部材６に突設された係止片２５と、前記リング部材６が装着されるケース本体１５に設けられ且つ係止片２５が挿入されて係止する係止受け部３０とを備えている。係止片２５は、帯板状で且つ係止受け部３０への挿入方向に沿って間隔をあけて係合孔２６と一対の切欠部２７とが設けられている。係止受け部３０は、内側に係止片２５が挿入され且つ係止片２５の係合孔２６に係合する第１係合凸部３４が設けられた本体部３１と、一対の押圧アーム３５とを備えている。一対の押圧アーム３５は、それぞれ、一端３５ａが本体部３１に連なり且つ他端３５ｂが自由端となるアーム状に形成され且つ他端３５ｂに係止片２５の各切欠部２７に係合する第２係合凸部３６が突設されている。【選択図】図３
2011027211.tif 000002
【特許請求の範囲】
【請求項１】
第１の部品と該第１の部品が取り付けられる第２の部品とのうちいずれか一方の部品に突設された係止片と、他方の部品に設けられ且つ前記係止片が挿入されて係止する係止受け部と、を有し、前記第１の部品と前記第２の部品とを互いに固定する部品の固定構造において、
前記係止片は、当該係止片を貫通し且つ前記係止受け部への挿入方向に沿って互いに間隔をあけて設けられた一対の係合部を有し、
前記係止受け部が、内側に前記係止片が挿入されるとともに前記一対の係合部のうちの一方の係合部に係合する第１係合凸部が設けられた本体部と、一端が前記本体部に連なり且つ他端が前記本体部の前記第１係合凸部が設けられた内面に接離可能に形成された前記係止片を前記内面に押圧する押圧アームと、前記押圧アームの前記他端に突設され且つ前記一対の係合部のうちの他方の係合部に係合する第２係合凸部と、を有していることを特徴とする部品の固定構造。
【請求項２】
前記第２係合凸部が、前記係止片の前記挿入方向後端側に、前記押圧アームの他端から突出するにしたがって徐々に前記係止片の前記挿入方向に向かって傾斜した傾斜面を有していることを特徴とする請求項１に記載の部品の固定構造。
【発明の詳細な説明】
【技術分野】
【０００１】
本発明は、例えば、車両や船舶等の移動体に搭載される計器装置を構成するリング部材などの第１の部品と、ケースなどの第２の部品と、を互いに固定するために用いられる部品の固定構造に関する。
【背景技術】
【０００２】
車両、船舶などの移動体には、各種の計測手段が計測した複数の情報を移動体の乗員に対して表示する計器装置が搭載されている。この種の計器装置として、例えば、移動体としての車両の速度を表示するスピードメータ、エンジンの回転数を表示するタコメータ、燃料の残量を表示するフューエルゲージ及びエンジンの冷却水の温度を表示するテンパラチャゲージ等の複数の表示計器を備えた車両用コンビネーションメータが用いられる。
【０００３】
前述したコンビネーションメータは、複数の表示計器を合成樹脂等からなるケース内に収容するとともに、このケースの車両の乗員側に前記複数の表示計器各々の縁部を覆って表示部分以外を乗員に対して遮蔽するリング部材を取り付けて、該リング部材の乗員側を表ガラスで覆うことで前記複数の表示計器等を保護している。
【０００４】
また、前述したコンビネーションメータは、リング部材をケースに取り付けて、これらリング部材とケースとを互いに固定するための固定構造を備えている。この固定構造として、従来から種々の固定構造（例えば、特許文献１参照。）が提案されている。特許文献１に例示された固定構造は、リング部材に突設された係止爪と、前記リング部材が取り付けられるケースの側面に設けられ且つ前記係止爪が係止する被係止部と、を備えている。
【０００５】
係止爪は、貫通孔が設けられた係止片と該係止片を互いの間に挟む格好で設けられた一対の押さえ片とを一体に備えており、先端が三又に分岐した帯板状に形成されている。また、係止片には、貫通孔の当該係止片の先端側に隣接し且つ当該係止片の表面から突出した係止フックが設けられている。
【０００６】
被係止部は、ケースの側面に突設され且つ該ケースの周方向に沿って互いに間隔をあけて配された一対の押圧部と、ケースの側面から突出し且つ前記一対の押圧部の間に配された係止突部と、を備えている。
【０００７】
一対の押圧部は、それぞれ、ケースの側面から立設した立設部と、該立設部のケースから離れた側の端部から突出し且つケースの側面と平行に設けられた平行部とを有した、断面Ｌ字状に形成されている。一対の押圧部は、各々の立設部が互いに平行で且つ各々の平行部が各立設部の端部から互いに近づく方向に突出する格好で配されているとともに、ケースの表面側に開口している。
【０００８】
また、一対の押圧部各々の平行部は、ケースの側面と前述した係止爪の厚みと略等しく間隔をあけて設けられている。さらに、一対の押圧部各々の平行部には、ケースの表面から離れた側の端部から該ケースに向かって突出した押圧凸部が設けられている。そして、前述した構成の被係止部は、一対の押圧部とケースの側面とに囲まれる空間内に前述した係止爪が挿入される。
【０００９】
前述した構成の固定構造は、リング部材の係止爪がケースの表面側から該ケースに設けられた被係止部の一対の押圧部とケースの側面とに囲まれる空間内に挿入される。すると、係止爪の係止片に設けられた係止フックが係止突部を乗り越えて該係止突部と係合し且つ係止突部が係止片の貫通孔内に位置付けられるとともに、係止爪の一対の押さえ片各々が各押圧部の押圧凸部によりケースの側面に押圧される。こうして、固定構造は、リング部材に突設された係止爪とケースに設けられた被係止部とが係止することで、これらリング部材とケースとを固定する。
【先行技術文献】
【特許文献】
【００１０】
【特許文献１】特開２００６−２９２６４４号公報
【発明の概要】
【発明が解決しようとする課題】
【００１１】
しかしながら、前述の特許文献１に開示された固定構造は、被係止部の一対の押圧部各々の押圧凸部が係止爪の一対の押さえ片をケースの側面に押圧することで、係止爪の係止フックと被係止部の係止突部との係合状態を保持しているため、車両衝突時の大きな衝撃などにより、係止爪にケースの側面から離れる方向へ大きな荷重が加わった場合に、係止爪の係止片がケースの側面から離れてしまい、この係止片に設けられた係止フックと被係止部の係止突部との係合が外れて、係止爪が被係止部から抜けて部品同士が外れてしまう虞があった。
【００１２】
したがって、本発明の目的は、前述した問題点に鑑み、簡単な構造で係止片と係止受け部との係止が外れることを防止して、部品同士の外れを防ぐことができる部品の固定構造を提供することにある。
【課題を解決するための手段】
【００１３】
前記課題を解決し目的を達成するために、請求項１に記載された発明は、第１の部品と該第１の部品が取り付けられる第２の部品とのうちいずれか一方の部品に突設された係止片と、他方の部品に設けられ且つ前記係止片が挿入されて係止する係止受け部と、を有し、前記第１の部品と前記第２の部品とを互いに固定する部品の固定構造において、前記係止片は、当該係止片を貫通し且つ前記係止受け部への挿入方向に沿って互いに間隔をあけて設けられた一対の係合部を有し、前記係止受け部が、内側に前記係止片が挿入されるとともに前記一対の係合部のうちの一方の係合部に係合する第１係合凸部が設けられた本体部と、一端が前記本体部に連なり且つ他端が前記本体部の前記第１係合凸部が設けられた内面に接離可能に形成された前記係止片を前記内面に押圧する押圧アームと、前記押圧アームの前記他端に突設され且つ前記一対の係合部のうちの他方の係合部に係合する第２係合凸部と、を有していることを特徴とする部品の固定構造である。
【００１４】
請求項２に記載された発明は、請求項１に記載の発明において、前記第２係合凸部が、前記係止片の前記挿入方向後端側に、前記押圧アームの他端から突出するにしたがって徐々に前記係止片の前記挿入方向に向かって傾斜した傾斜面を有していることを特徴とするものである。
【００１５】
請求項１に記載された発明によれば、係止受け部が、内側に係止片が挿入されるとともに該係止片の一対の係合部のうちの一方の係合部に係合する第１係合凸部が設けられた本体部と、一端が本体部に連なり且つ他端が本体部の第１係合凸部が設けられた内面に接離可能に形成された係止片を内面に押圧する押圧アームと、該押圧アームの他端に突設され且つ係止片の一対の係合部のうちの他方の係合部に係合する第２係合凸部と、を有しているので、押圧アームの弾性復元力に抗して、係止片が本体部の第１係合凸部が設けられた内面から離れる方向に変位して、係止片の一方の係合部と本体部の第１係合凸部との係合が外れても、係止片の他方の係合部に押圧アームの第２係合凸部を係合させた状態に保つことができる。このため、係止片が係止受け部との係止が外れて該係止受け部から抜けることを防止することができる。
【００１６】
請求項２に記載された発明によれば、第２係合凸部が、係止片の前記挿入方向後端側に、押圧アームの他端から突出するにしたがって徐々に係止片の挿入方向に向かって傾斜した傾斜面を有しているので、係止受け部の本体部内に係止片を挿入した際に、該係止片の先端が第２係合凸部の傾斜面に沿ってスライドすることで、押圧アームを容易に弾性変形させることができる。このため、係止片を係止受け部の本体部内に挿入して該係止受け部に係止する際の挿入力を低減することができる。
【発明の効果】
【００１７】
以上説明したように、請求項１に記載された発明によれば、押圧アームの弾性復元力に抗して、係止片が本体部の第１係合凸部が設けられた内面から離れる方向に変位して、係止片の一方の係合部と本体部の第１係合凸部との係合が外れても、係止片の他方の係合部に押圧アームの第２係合凸部を係合させた状態に保つことができる。このため、係止片が係止受け部との係止が外れて該係止受け部から抜けることを防止することができる。したがって、簡単な構造で部品同士が外れることを防ぐことができる。
【００１８】
請求項２に記載された発明によれば、係止受け部の本体部内に係止片を挿入した際に、該係止片の先端が第２係合凸部の傾斜面に沿ってスライドすることで、押圧アームを容易に弾性変形させることができる。このため、係止片を係止受け部の本体部内に挿入して該係止受け部に係止する際の挿入力を低減することができる。したがって、係止片と係止受け部との係止をスムーズに行うことができる。
【図面の簡単な説明】
【００１９】
【図１】本発明の一実施形態にかかる固定構造を備えた車両用コンビネーションメータを構成するケースとリング部材とを示す分解斜視図である。
【図２】図１に示された車両用コンビネーションメータの固定構造の要部を示す斜視図である。
【図３】図２に示された固定構造の係止受け部に係止片が係止した状態を示す平面図である。
【図４】図３中のＩＶ−ＩＶ線に沿う断面図である。
【図５】図３中のＶ−Ｖ線に沿う断面図である。
【発明を実施するための形態】
【００２０】
以下、本発明の一実施形態にかかる部品の固定構造（以下、単に固定構造と記す）を、図１乃至図５を参照して説明する。本発明の一実施形態にかかる固定構造１は、例えば、自動車等の車両に搭載される車両用コンビネーションメータに用いられる。この車両用コンビネーションメータは、車両の乗員に対して該車両の状況を表示する装置である。
【００２１】
車両用コンビネーションメータは、図示しない表示計器と、各種の電子部品等が実装されたプリント配線板（図示せず）と、これら表示計器及びプリント配線板等を収容するケース５（図１に示す）と、該ケース５の後述するケース本体１５に取り付けられるリング部材６（図１に示す）と、ケース５の車両の乗員側即ち前面側に配された見返し部材（図示せず）と、該見返し部材の乗員側即ち前面側を覆う透明カバー（図示せず）などを備えている。
【００２２】
表示計器は、エンジンの回転数を表示するタコメータと、車両の速度を表示するスピードメータと、エンジンの冷却水の温度を表示するテンパラチャゲージと、燃料の残量を表示するフューエルゲージと、を備えている。なお、本実施形態では、タコメータ、スピードメータ、テンパラチャゲージ及びフューエルゲージの各々に対応した表示計器の基本構成は同一であることから、以下はタコメータに対応した表示計器を代表して説明する。
【００２３】
表示計器は、ムーブメントと、指針と、表面（車両の乗員から視認される面）にエンジン回転数表示用の目盛及び数字又は記号等の指標部が設けられた文字板１３（図１に示す）等によって構成されている。ムーブメントは、車両に搭載された図示しないエンジン回転数計測手段等と接続されているとともに、該エンジン回転数計測手段が計測した計測量に応じて回転する出力軸を備えている。
【００２４】
指針は、中心軸となる基端部と、該基端部から直線状に延び且つ前述した指標部を指示する指示部とを備えている。指針は、指標部の中央部に基端部が位置した状態で、ムーブメントの出力軸に取り付けられて、該出力軸と一体となって回転する。そして、指針は、エンジン回転数計測手段が計測した計測量に応じてムーブメントによって回動されて、指標部と協働して計測量を表示する。
【００２５】
文字板１３は、透光性の合成樹脂等からなり、円盤状に形成されている。文字板１３は、表面に遮光層が設けられており、この遮光層の指標部の部分が除かれることで該指標部が形成されている。文字板１３は、指標部が指針の回動許容範囲に対応して略円弧状に配置されているとともに、該指標部が背後からの光を前方（乗員側）に透過することで車両の乗員（利用者）に発光視認される。
【００２６】
プリント配線板は、可撓性を有さない比較的硬質な材料からなり且つ略矩形の平板状に形成されている。プリント配線板は、前述した指標部及び指針等を照明する複数のＬＥＤと、前述したムーブメントと、これらの複数のＬＥＤ及びムーブメント等の動作を制御するためのマイコンなどの電子部品等が、電気的に接続されて実装されている。そして、プリント配線板は、ケース５の後述するケース本体１５の前面壁１６及び裏カバー（図示せず）と略平行に配されるとともに、ケース本体１５と裏カバーとの間に取り付けられて、ケース５内に収容される。
【００２７】
ケース５は、合成樹脂等から形成されており、図１に示すように、ケース本体１５と、図示しない裏カバーと、を備えている。ケース本体１５は、車両の乗員に相対する前面壁１６と、この前面壁１６の外周縁から車両の乗員から離れる方向に延びた周壁１７と、を備えている。ケース本体１５は、乗員から離れる側、即ち、背面側に開口する箱状に形成されている。
【００２８】
前面壁１６には、前述した出力軸を通す指針用開口部（図示せず）と、前述したプリント配線板の複数のＬＥＤからの光を文字板１３側へ通すための複数の照明用開口部（図示せず）と、が設けられている。周壁１７は、ケース本体１５の外郭を形成する。また、周壁１７には、係止受け部３０が複数設けられている。なお、前記係止受け部３０は、本実施形態において、固定構造１を構成しており、詳細な構成については後述する。
【００２９】
そして、前述した構成のケース本体１５は、前面壁１６の車両の乗員側の面に文字板１３が重ねられて、この文字板１３を前面壁１６との間に挟む格好でリング部材６が取り付けられる。なお、前記ケース本体１５は、特許請求の範囲に記載の第２の部品に相当する。
【００３０】
裏カバーは、合成樹脂等からなり、平板状に形成されている。裏カバーは、ケース本体１５の車両の乗員から離れた側即ち背面側に取り付けられて、該ケース本体１５の開口を閉塞する。
【００３１】
リング部材６は、図１に示すように、各文字板１３の車両の乗員側即ち前面側に配されて、前記各文字板１３をケース５のケース本体１５の前面壁１６との間に挟む格好で、該ケース５のケース本体１５に取り付けられている。リング部材６には、各文字板１３の指標部を車両の乗員に対して露出させる複数の露出窓２４と、複数の係止片２５と、が設けられている。
【００３２】
そして、リング部材６は、ケース５のケース本体１５に取り付けられて、複数の露出窓２４各々から各文字板１３の指標部を露出させることで、車両の乗員側から見て各文字板１３の指標部の外周縁を縁取る。なお、本実施形態において、リング部材６は、特許請求の範囲に記載の第１の部品に相当し、前記係止片２５は、固定構造１を構成しており、詳細な構成については後述する。
【００３３】
見返し部材は、合成樹脂等から形成されており、前述した表示計器としてのタコメータ、スピードメータ、テンパラチャゲージ及びフューエルゲージの各々に対応する部分に開口が設けられている。見返し部材は、ケース５のケース本体１５の車両の乗員側即ち前面側に取り付けられて、タコメータ、スピードメータ、テンパラチャゲージ及びフューエルゲージの各々の表示部分以外を車両の乗員に対して遮蔽する。
【００３４】
透明カバーは、透明性を有する樹脂等から形成されている。透明カバーは、ケース５のケース本体１５の前面壁１６との間に前述した見返し部材を挟む格好で該ケース本体１５に取り付けられる。そして、透明カバーは、前述した表示計器としてのタコメータ、スピードメータ、テンパラチャゲージ及びフューエルゲージと、リング部材６と、見返し部材等の車両の乗員側即ち前面側を覆って、車両用コンビネーションメータ内へ埃等が侵入するのを防ぐ。
【００３５】
固定構造１は、図１に示すように、前述したリング部材６に複数設けられた係止片２５と、該複数の係止片２５各々が挿入されて係止するとともに前述したケース５のケース本体１５の周壁１７に複数設けられた係止受け部３０と、を備えている。
【００３６】
複数の係止片２５は、図１又は図２に示すように、リング部材６の外縁部から背面側即ちケース本体１５に向かって突設されているとともに、リング部材６の外周に沿って互いに間隔をあけて配されている。複数の係止片２５は、それぞれ、帯板状に形成されており、係合孔２６と、一対の切欠部２７と、を備えている。
【００３７】
係合孔２６は、図２に示すように、平面視が矩形状で且つ係止片２５を貫通して形成されている。係合孔２６は、係止片２５のリング部材６の外縁部から離れた先端部寄りで且つ該係止片２５の幅方向の中央部に設けられている。なお、前記係合孔２６は、特許請求の範囲に記載の一対の係合部を構成しており、一方の係合部に相当する。
【００３８】
一対の切欠部２７は、図２に示すように、係止片２５の幅方向の両縁部に設けられ且つ係止片２５の両縁部から中央部に向かってコ字状態に切り欠かれて形成されている。一対の切欠部２７は、係合孔２６よりも前述したリング部材６の外縁部側に配されている。即ち一対の切欠部２７は、係合孔２６よりも係止片２５の先端部から離れた側に配されている。なお、前記一対の切欠部２７は、特許請求の範囲に記載の一対の係合部を構成しており、他方の係合部に相当する。
【００３９】
そして、前述した係合孔２６と一対の切欠部２７とは、係止片２５の係止受け部３０への挿入方向に沿って互いに間隔をあけて設けられている。
【００４０】
複数の係止受け部３０は、図１に示すように、前述したケース５のケース本体１５の周壁１７に、該ケース本体１５の外周に沿って互いに間隔をあけて設けられている。複数の係止受け部３０は、前述したリング部材６に設けられた複数の係止片２５と相対する位置に配されている。複数の係止受け部３０は、それぞれ、図２に示すように、前述したケース５のケース本体１５の周壁１７の表面１７ａ（図４に示す）に突設されているとともに、内側に前述した係止片２５が挿入される本体部３１と、一対の押圧アーム３５と、を備えている。
【００４１】
本体部３１は、図２又は図３などに示すように、ケース本体１５の周壁１７の表面１７ａから突出した一対の突出壁３２と、該一対の突出壁３２のケース本体１５の前面壁１６から離れた側の端部同士を連結する連結部３３と、を備えている。一対の突出壁３２は、平板状に形成され且つケース本体１５の外周に沿って互いに間隔をあけて設けられているとともに、互いに平行に配されている。連結部３３は、ケース本体１５の周壁１７の表面１７ａと間隔をあけ且つ該表面１７ａに平行に設けられている。
【００４２】
そして、本体部３１は、一対の突出壁３２の間で且つ該一対の突出壁３２及び連結部３３とケース本体１５の周壁１７の表面１７ａとに囲まれる空間、即ち当該本体部３１の内側に前述した係止片２５が挿入される。
【００４３】
また、本体部３１は、図３乃至図５に示すように、一対の突出壁３２の間に位置するケース本体１５の周壁１７の表面１７ａに第１係合凸部３４が突設されている。この第１係合凸部３４は、本体部３１の内側に前述した係止片２５が挿入された際に、該係止片２５の係合孔２６に係合する位置に配されている。なお、前記表面１７ａは、特許請求の範囲に記載の内面に相当する。
【００４４】
一対の押圧アーム３５は、それぞれ、図３乃至図５に示すように、角柱状に形成されており、長手方向の一端３５ａが本体部３１の連結部３３に連なり且つ他端３５ｂが自由端となるアーム状に設けられている。一対の押圧アーム３５は、前述したケース本体１５の周壁１７に沿って互いに間隔をあけて配されている。一対の押圧アーム３５は、それぞれ、他端３５ｂが一対の突出壁３２の間に位置するケース本体１５の周壁１７の表面１７ａに接離（近づいたり離れたりする）可能に弾性変形自在に設けられている。
【００４５】
また、一対の押圧アーム３５は、それぞれ、他端３５ｂに第２係合凸部３６が突設されている。第２係合凸部３６は、図４又は図５に示すように、押圧アーム３５の他端３５ｂから前述した一対の突出壁３２の間に位置する周壁１７の表面１７ａに向かって突出して設けられている。この第２係合凸部３６は、本体部３１の内側に前述した係止片２５が挿入された際に、該係止片２５の切欠部２７に係合する位置に配されている。
【００４６】
また、第２係合凸部３６には、本体部３１の内側に挿入された係止片２５の挿入方向後端側に、押圧アーム３５の他端３５ｂから突出するにしたがって徐々に前記係止片２５の挿入方向に向かって傾斜した傾斜面３７が設けられている。
【００４７】
そして、前述した構成の一対の押圧アーム３５は、それぞれ、本体部３１の内側に前述した係止片２５が挿入された際に、他端３５ｂが一対の突出壁３２の間に位置する周壁１７の表面１７ａから離れる方向に弾性変形し、第１係合凸部３４が係止片２５の係合孔２６に係合すると弾性復元して、第２係合凸部３６が係止片２５の各切欠部２７に係合するとともに、係止片２５を一対の突出壁３２の間に位置する周壁１７の表面１７ａに押圧する。
【００４８】
前述した構成の固定構造１は、ケース５のケース本体１５とリング部材６との間に前述した文字板１３を配置して、ケース本体１５の前面壁１６の乗員側即ち前面側にリング部材６を重ねると、ケース本体１５の複数の係止受け部３０とリング部材６の複数の係止片２５とが同軸上に配置されるとともに、複数の係止片２５各々が各係止受け部３０の本体部３１の一対の突出壁３２の間に位置する周壁１７の表面１７ａと一対の押圧アーム３５との間に挿入される。
【００４９】
すると、各係止片２５の先端が一対の押圧アーム３５の第２係合凸部３６の傾斜面３７に当接して該傾斜面３７に沿ってスライドされることで、各係止受け部３０の一対の押圧アーム３５が各々の他端３５ｂが一対の突出壁３２の間に位置する周壁１７の表面１７ａから離れる方向に弾性変形する。
【００５０】
そして、さらに各係止片２５を挿入して該各係止片２５の係合孔２６に各本体部３０の一対の突出壁３２の間に位置する周壁１７の表面１７ａから突設された第１係合凸部３４が係合するとともに、各係止片２５の一対の切欠部２７各々に一対の押圧アーム３５の各第２係合凸部３６が係合すると、一対の押圧アーム３５が弾性復元して係止片２５を本体部３１の一対の突出壁３２の間に位置する周壁１７の表面１７ａに押圧する。
【００５１】
こうして、前述した固定構造１は、リング部材６の複数の係止片２５がケース本体１５の複数の係止受け部３０に挿入されて係止することで、リング部材６とケース本体１５とを互いに固定する。
【００５２】
本実施形態によれば、係止受け部３０が、内側に係止片２５が挿入されるとともに該係止片２５の係合孔２６に係合する第１係合凸部３４が設けられた本体部３１と、一端３５ａが本体部３１に連なり且つ他端３５ｂが本体部３１の第１係合凸部３４が設けられた表面１７ａに接離可能に形成された係止片２５を表面１７ａに押圧する一対の押圧アーム３５と、該一対の押圧アーム３５各々の他端３５ｂに突設され且つ係止片２５の各切欠部２７に係合する第２係合凸部３６と、を有している。
【００５３】
このため、一対の押圧アーム３５の弾性復元力に抗して、係止片２５が本体部３１の第１係合凸部３４が設けられた表面１７ａから離れる方向に変位して、係止片２５の係合孔２６と本体部３１の第１係合凸部３４との係合が外れても、係止片２５の各切欠部２７に一対の押圧アーム３５各々の第２係合凸部３６を係合させた状態に保つことができる。したがって、係止片２５が係止受け部３０との係止が外れて該係止受け部３０から抜けることを防止することができる。よって、簡単な構造で部品同士が外れることを防ぐことができる。
【００５４】
また、第２係合凸部３６が、係止片２５の挿入方向後端側に、押圧アーム３５の他端３５ｂから突出するにしたがって徐々に係止片２５の挿入方向に向かって傾斜した傾斜面３７を有している。
【００５５】
このため、係止受け部３０の本体部３１内に係止片２５を挿入した際に、該係止片２５の先端が第２係合凸部３６の傾斜面３７に沿ってスライドすることで、押圧アーム３５を容易に弾性変形させることができる。したがって、係止片２５を係止受け部３０の本体部３１内に挿入して該係止受け部３０に係止する際の挿入力を低減することができ、係止片２５と係止受け部３０との係止をスムーズに行うことができる。
【００５６】
前述した実施形態では、第１の部品としてリング部材６を示し、第２の部品としてケース本体１５を示している。しかしながら、本発明では、第１の部品及び第２の部品として、ジャンクションボックスやリレーボックスなどの自動車に搭載される各種の機器を用いても良く、自動車に搭載される各種の機器以外の如何なるものであっても良い。
【００５７】
また、前述した実施形態では、固定構造１は、係止片２５がリング部材６に設けられ且つ係止受け部３０がケース本体１５に設けられて構成されていた。しかしながら、本発明は、係止片２５をケース本体１５に設け且つ係止受け部３０をリング部材６に設けて構成していても良いことは、勿論である。
【００５８】
さらに、前述した実施形態では、固定構造１は、係止受け部３０に本体部３１内に挿入された係止片２５を該本体部３１の一対の突出壁３２の間に位置する周壁１７の表面１７ａに押圧する押圧アーム３５が一対設けられて構成されていた。しかしながら、本発明は、押圧アーム３５を係止受け部３０に一つ設けて構成していても良く、押圧アーム３５を係止受け部３０に複数設けて構成していても良い。
【００５９】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００６０】
１      部品の固定構造
６      リング部材（第１の部品）
１５    ケース本体（第２の部品）
１７ａ  表面（内面）
２５    係止片
２６    係合孔（係合部）
２７    切欠部（係合部）
３０    係止受け部
３１    本体部
３４    第１係合凸部
３５    押圧アーム
３５ａ  一端
３５ｂ  他端
３６    第２係合凸部
３７    傾斜面
【図１】
2011027211.tif 000003
【図２】
2011027211.tif 000004
【図３】
2011027211.tif 000005
【図４】
2011027211.tif 000006
【図５】
2011027211.tif 000007